(57)【要約】  表示デバイス８０１の表示画面に表示出力されているユニット画像ＵＰが入力デバイス８０２のレイアウト操作によりレイアウトされると、そのレイアウトに対応したフレームユニットの調達コストが算出されて表示出力される。このため、複数種類のフレームユニットが任意の組み合わせで上下方向に連結されて左右方向に配列されるユニットシステムを新規に導入するような場合に、そのフレームユニットのレイアウトを簡単に検討することができるとともに、そのレイアウトしたフレームユニットの調達コストも簡単に確認することができる。複数種類のユニット部材の任意の組み合わせで形成されるユニットシステムの導入を支援することができる構造のデータ処理装置を提供する。
2008108094.tif 000002
【特許請求の範囲】
【請求項１】
上下方向に連結されて左右方向に配列される複数種類のユニット部材の任意の組み合わせで形成されるユニットシステムの導入の支援に利用されるデータ処理装置であって、
各種データを表示画面に表示出力する表示デバイスと、
各種の入力操作を受け付ける入力デバイスと、
複数種類の前記ユニット部材ごとに各々の前面形状を所定の縮尺で模式したユニット画像が少なくとも調達コストとともに設定されているユニットデータを記憶するデータ記憶部と、
前記ユニット画像を前記表示画面に表示出力させる画像表示部と、
表示出力されている前記ユニット画像の前記入力デバイスによるレイアウト操作を検知する操作検知部と、
検知されたレイアウト操作に対応して前記表示画面に表示出力される前記ユニット画像をレイアウトするユニットレイアウト部と、
レイアウトされた前記ユニット画像に対応して合計の前記調達コストを算出する結果算出部と、
算出された合計の前記調達コストを前記表示画面に表示出力する結果出力部と、
を有するデータ処理装置。
【請求項２】
予算金額の入力操作を受け付ける予算入力部と、
入力操作された前記予算金額を一時保持する予算保持部と、
算出された合計の前記調達コストが一時保持されている前記予算金額を超過すると警告を報知出力する警告報知部とを、
さらに有する請求項１に記載のデータ処理装置。
【請求項３】
前記データ記憶部は、前記ユニット部材の種類ごとに少なくとも左右方向の占有寸法も設定されている前記ユニットデータを記憶し、
前記結果算出部は、前記ユニット画像のレイアウトに対応して左右方向の合計の前記占有寸法も算出し、
前記結果出力部は、算出された合計の前記占有寸法も前記表示画面に表示出力する請求項１または２に記載のデータ処理装置。
【請求項４】
左右方向の予定寸法の入力操作を受け付ける左右入力部と、
入力操作された前記予定寸法を一時保持する左右保持部と、
算出された合計の前記占有寸法が一時保持されている前記予定寸法を超過すると警告を報知出力する警告報知部とを、
さらに有する請求項３に記載のデータ処理装置。
【請求項５】
前記データ記憶部は、前記ユニット部材の種類ごとに少なくとも上下方向の占有寸法も設定されている前記ユニットデータを記憶し、
前記結果算出部は、前記ユニット画像のレイアウトに対応して上下方向の合計の前記占有寸法も算出し、
前記結果出力部は、算出された合計の前記占有寸法も前記表示画面に表示出力する請求項１ないし４の何れか一項に記載のデータ処理装置。
【請求項６】
上下方向の予定寸法の入力操作を受け付ける上下入力部と、
入力操作された前記予定寸法を一時保持する上下保持部と、
算出された合計の前記占有寸法が一時保持されている前記予定寸法を超過すると警告を報知出力する警告報知部とを、
さらに有する請求項５に記載のデータ処理装置。
【請求項７】
前記データ記憶部は、前記ユニットシステムの上下方向の許容寸法も記憶しており、
算出された合計の前記占有寸法が記憶されている前記許容寸法を超過すると警告を報知出力する警告報知部を、さらに有する請求項５または６に記載のデータ処理装置。
【請求項８】
作業者の身長の入力操作を受け付ける身長入力部と、
入力操作された前記身長を一時保持する身長保持部と、
一時保持された前記身長から上下方向の適正寸法を算出する適正算出部と、
算出された合計の前記占有寸法が算出された前記適正寸法を超過すると警告を報知出力する警告報知部とを、
さらに有する請求項５ないし７の何れか一項に記載のデータ処理装置。
【請求項９】
前記データ記憶部は、前記ユニット画像と同一の縮尺で人間の前面形状を模式した人型画像も記憶し、
前記画像表示部は、前記人型画像も前記表示画面に表示出力させ、
前記操作検知部は、前記人型画像のレイアウト操作も検知し、
前記ユニットレイアウト部は、検知されたレイアウト操作に対応して前記人型画像をレイアウトされている前記ユニット画像の前面ないし側方にレイアウトする請求項１ないし８の何れか一項に記載のデータ処理装置。
【請求項１０】
前記データ記憶部は、前記人間の上肢を模式した上肢部分が前記人間の肩部に相当する位置を中心に回動自在な前記人型画像を記憶し、
前記操作検知部は、表示出力されている前記人型画像の上肢部分を回動させる入力操作も検知する請求項９に記載のデータ処理装置。
【請求項１１】
作業者の身長の入力操作を受け付ける身長入力部と、
入力操作された前記身長を一時保持する身長保持部と、
一時保持された前記身長に対応して前記表示画面に表示出力される前記人型画像の縮尺を調整する人型調整部とを、
さらに有する請求項９または１０に記載のデータ処理装置。
【請求項１２】
複数種類の前記ユニット部材は、上下方向に連結できる組み合わせと連結できない組み合わせとがあり、
前記データ記憶部は、前記ユニット部材の種類ごとに上下方向に連結できる組み合わせが設定されている前記ユニットデータを記憶し、
前記ユニットレイアウト部は、上下方向に連結できない組み合わせのレイアウト操作を無効とし、
前記ユニット画像が上下方向に連結できない組み合わせでレイアウト操作されると警告を報知出力する警告報知部を、さらに有する請求項１ないし１１の何れか一項に記載のデータ処理装置。
【請求項１３】
前記ユニットシステムには、組み合された前記ユニット部材の内部や外部に配置される複数種類の宣伝部材もあり、
前記データ記憶部は、複数種類の前記宣伝部材ごとに前面形状を前記ユニット画像と同一の縮尺で模式した宣伝部材画像が少なくとも調達コストとともに設定されている宣伝部材データも記憶し、
前記画像表示部は、前記宣伝部材画像も前記表示画面に表示出力させ、
前記操作検知部は、前記宣伝部材画像のレイアウト操作も検知し、
前記ユニットレイアウト部は、検知されたレイアウト操作に対応して前記宣伝部材画像をレイアウトされている前記ユニット画像の内部や外部にレイアウトし、
前記結果算出部は、レイアウトされた前記ユニット画像と前記宣伝部材画像とに対応して合計の前記調達コストを算出する請求項１ないし１２の何れか一項に記載のデータ処理装置。
【請求項１４】
前記ユニットシステムは、カウンタの上面に設置されて商品を前記ユニット部材ごとに収容しながら陳列する商品陳列システムであり、
前記データ記憶部は、前記ユニット画像と同一の縮尺で前記カウンタの前面形状を模式したカウンタ画像も記憶しており、
前記画像表示部は、前記カウンタ画像も前記表示画面に表示出力させ、
前記ユニットレイアウト部は、検知されたレイアウト操作に対応して前記ユニット画像を前記カウンタ画像の上部にレイアウトする請求項１ないし１３の何れか一項に記載のデータ処理装置。
【請求項１５】
前記ユニットシステムは、少なくとも一部が定型サイズの商品を前記ユニット部材ごとに収容しながら陳列する商品陳列システムであり、
前記ユニット部材は種類ごとに前記定型サイズの前記商品の収容個数と陳列個数とが規定されており、
前記データ記憶部は、前記ユニット部材の種類ごとに少なくとも前記陳列個数が設定されている前記ユニットデータを記憶し、
前記結果出力部は、レイアウトされた複数の前記ユニット画像に対応した合計の前記陳列個数も出力する請求項１ないし１４の何れか一項に記載のデータ処理装置。
【請求項１６】
前記データ記憶部は、前記ユニット部材の種類ごとに前記収容個数も設定されている前記ユニットデータを記憶し、
前記結果出力部は、レイアウトされた複数の前記ユニット画像に対応した合計の前記収容個数も出力する請求項１５に記載のデータ処理装置。
【請求項１７】
前記ユニットシステムは、少なくとも一部が定型サイズの商品を前記ユニット部材ごとに収容しながら陳列する商品陳列システムであり、
前記ユニット部材は、種類ごとに前記定型サイズの前記商品の陳列状態が規定されており、
前記データ記憶部は、前記陳列状態を模式した前記ユニット画像を記憶する請求項１ないし１６の何れか一項に記載のデータ処理装置。
【請求項１８】
複数種類の前記ユニット部材の少なくとも一部は、複数種類の前記陳列状態が規定されており、
前記データ記憶部は、複数種類の前記陳列状態を模式した複数種類の前記ユニット画像を記憶する請求項１７に記載のデータ処理装置。
【請求項１９】
複数種類の前記ユニット部材の少なくとも一部は前記定型サイズの前記商品を前後方向に配列して収容する配列個数が規定されており、
前記データ記憶部は、前記配列個数が表記された前記ユニット画像を記憶する請求項１８に記載のデータ処理装置。
【請求項２０】
前記商品がタバコパックからなる請求項１４ないし１９の何れか一項に記載のデータ処理装置。
【請求項２１】
上下方向に連結されて左右方向に配列される複数のユニット部材を有するユニットシステムの導入の支援に利用されるウェブサイトをインターネットによりユーザ端末装置に提供するデータ処理装置であって、
複数種類の前記ユニット部材ごとに各々の前面形状を所定の縮尺で模式したユニット画像が少なくとも調達コストとともに設定されているユニットデータを記憶するデータ記憶部と、
前記ユーザ端末装置により閲覧される前記ウェブサイトの表示画面に前記ユニット画像を表示出力させる画像表示部と、
表示出力されている前記ユニット画像の前記ユーザ端末装置によるレイアウト操作を検知する操作検知部と、
検知されたレイアウト操作に対応して前記表示画面に表示出力される前記ユニット画像をレイアウトするユニットレイアウト部と、
レイアウトされた前記ユニット画像に対応して合計の前記調達コストを算出する結果算出部と、
算出された合計の前記調達コストを前記表示画面に表示出力させる結果出力部と、
を有するデータ処理装置。
【請求項２２】
各種データを表示画面に表示出力する表示デバイスと、各種の入力操作を受け付ける入力デバイスと、を有し、上下方向に連結されて左右方向に配列される複数種類のユニット部材の任意の組み合わせで形成されるユニットシステムの導入の支援に利用されるデータ処理装置のためのコンピュータプログラムであって、
複数種類の前記ユニット部材ごとに各々の前面形状を所定の縮尺で模式したユニット画像が少なくとも調達コストとともに設定されているユニットデータを記憶するユニット記憶処理と、
前記ユニット画像を前記表示画面に表示出力させる画像表示処理と、
表示出力されている前記ユニット画像の前記入力デバイスによるレイアウト操作を検知する操作検知処理と、
検知されたレイアウト操作に対応して前記表示画面に表示出力される前記ユニット画像をレイアウトするユニットレイアウト処理と、
レイアウトされた前記ユニット画像に対応して合計の前記調達コストを算出する結果算出処理と、
算出された合計の前記調達コストを前記表示画面に表示出力する結果出力処理と、
を前記データ処理装置に実行させるコンピュータプログラム。
【請求項２３】
上下方向に連結されて左右方向に配列される複数のユニット部材を有するユニットシステムの導入の支援に利用されるウェブサイトをインターネットによりユーザ端末装置に提供するデータ処理装置のためのコンピュータプログラムであって、
複数種類の前記ユニット部材ごとに各々の前面形状を所定の縮尺で模式したユニット画像が少なくとも調達コストとともに設定されているユニットデータを記憶するユニット記憶処理と、
前記ユーザ端末装置により閲覧される前記ウェブサイトの表示画面に前記ユニット画像を表示出力させる画像表示処理と、
表示出力されている前記ユニット画像の前記ユーザ端末装置によるレイアウト操作を検知する操作検知処理と、
検知されたレイアウト操作に対応して前記表示画面に表示出力される前記ユニット画像をレイアウトするユニットレイアウト処理と、
レイアウトされた前記ユニット画像に対応して合計の前記調達コストを算出する結果算出処理と、
算出された合計の前記調達コストを前記表示画面に表示出力させる結果出力処理と、
を前記データ処理装置に実行させるコンピュータプログラム。
【請求項２４】
各種データを表示画面に表示出力する表示デバイスと、各種の入力操作を受け付ける入力デバイスと、を有し、上下方向に連結されて左右方向に配列される複数種類のユニット部材の任意の組み合わせで形成されるユニットシステムの導入の支援に利用されるデータ処理装置のためのデータ記憶媒体であって、
複数種類の前記ユニット部材ごとに各々の前面形状を所定の縮尺で模式したユニット画像が少なくとも調達コストとともに設定されているユニットデータを記憶するユニット記憶処理と、
前記ユニット画像を前記表示画面に表示出力させる画像表示処理と、
表示出力されている前記ユニット画像の前記入力デバイスによるレイアウト操作を検知する操作検知処理と、
検知されたレイアウト操作に対応して前記表示画面に表示出力される前記ユニット画像をレイアウトするユニットレイアウト処理と、
レイアウトされた前記ユニット画像に対応して合計の前記調達コストを算出する結果算出処理と、
算出された合計の前記調達コストを前記表示画面に表示出力する結果出力処理と、
を前記データ処理装置に実行させるコンピュータプログラムが記録されているデータ記憶媒体。
【請求項２５】
上下方向に連結されて左右方向に配列される複数のユニット部材を有するユニットシステムの導入の支援に利用されるウェブサイトをインターネットによりユーザ端末装置に提供するデータ処理装置のためのデータ記憶媒体であって、
複数種類の前記ユニット部材ごとに各々の前面形状を所定の縮尺で模式したユニット画像が少なくとも調達コストとともに設定されているユニットデータを記憶するユニット記憶処理と、
前記ユーザ端末装置により閲覧される前記ウェブサイトの表示画面に前記ユニット画像を表示出力させる画像表示処理と、
表示出力されている前記ユニット画像の前記ユーザ端末装置によるレイアウト操作を検知する操作検知処理と、
検知されたレイアウト操作に対応して前記表示画面に表示出力される前記ユニット画像をレイアウトするユニットレイアウト処理と、
レイアウトされた前記ユニット画像に対応して合計の前記調達コストを算出する結果算出処理と、
算出された合計の前記調達コストを前記表示画面に表示出力させる結果出力処理と、
を前記データ処理装置に実行させるコンピュータプログラムが記録されているデータ記憶媒体。
【発明の詳細な説明】
【技術分野】
【０００１】
本発明は、上下方向に連結されて左右方向に配列される複数種類のユニット部材の任意の組み合わせで形成されるユニットシステムの導入の支援に利用されるデータ処理装置と、商品陳列システムの導入の支援に利用されるウェブサイトをインターネットによりユーザ端末装置に提供するデータ処理装置と、これらのデータ処理装置に利用されるコンピュータプログラムと、このコンピュータプログラムが格納されているデータ記憶媒体と、に関する。
【背景技術】
【０００２】
現在、いわゆるコンビニエンスストアなどの販売店舗では、例えば、商品としてタバコパックを陳列して販売している。なお、ここで云うタバコパックとは、実際に喫煙される複数の紙巻タバコを、直方体状のパッケージに収容した商品を意味している。【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。【０００４】
システムフレームは、複数のマガジンユニットを上下左右に配列して保持する。このため、従来の商品陳列システムは、タバコパックを上下左右に配列して陳列することができる。【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。【０００６】
商品の売場として、従来は、ショッピングモールや量販店等の広大な売場が主流であった。しかし、近年では、流通形態の変化により、コンビニエンスストアのような狭小な売場が大幅に増加してきている。【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、販売店舗に導入される商品陳列システムは定型のものが多く、売場構築の工夫をするにも限界があった。【０００８】
特に、コンビニエンスストアのような狭小な販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小な販売店舗でも、簡単に搬入して迅速に設置することができる。さらに、設置場所にもタバコパックの陳列形態にも柔軟性があるので、訴求効果が高い売場を演出するようなことができる。従って、理想的な売場の構築に寄与することができる。
【００１１】
上述のように、特願２００６−２６６６２５号の商品陳列システムは、理想的な売場構築を実現するため、複数種類のユニット部材を様々に組み合わせることができる。このような商品陳列システムを販売店舗に導入する場合、作業者は設置スペースや作業性を考慮して所望のユニット部材を調達すればよい。換言すると、作業者は設置スペースや作業性を考慮して調達するユニット部材を決定する必要がある。
【００１２】
しかしながら、上述の商品陳列システムは余りにも自由度が高いため、そのユニット部材の組み合わせは膨大である。このため、商品陳列システムを新規に導入する販売店舗の作業者は、ユニット部材の最適な組み合わせの決定に苦慮する可能性がある。
【００１３】
さらに、上述の商品陳列システムは、ユニット部材の種類や個数を自由に変更できるので、その導入コストも様々に変化する。当然ながら、販売店舗は、商品陳列システムを新規に導入するコストも考慮する必要がある。
【００１４】
換言すると、商品陳列システムを新規に導入する販売店舗の作業者は、導入コストも考慮しながら、様々なユニット部材の組み合わせを検討する必要がある。このため、さらにユニット部材の最適な組み合わせの決定に苦慮する可能性がある。
【００１５】
前述した特許文献１のように、理想的な売場構築を目的として、システムフレームなどの什器にタバコパックなどの商品を如何に陳列するかをシミュレートする提案は従来からある。しかし、特許文献１の技術は、構造が固定されている什器に商品を如何に陳列するかしかシミュレートすることができない。
【００１６】
このため、特許文献１の技術では、構造が様々に変化する商品陳列システムのユニット部材の組み合わせをシミュレートすることはできない。従って、理想的な売場を構築することはできない。
【００１７】
本発明は上述のような課題に鑑みてなされたものであり、複数種類のユニット部材の任意の組み合わせで形成されるユニットシステムの導入を支援することができる構造のデータ処理装置を提供するものである。
【００１８】
本発明の第一のデータ処理装置は、上下方向に連結されて左右方向に配列される複数種類のユニット部材の任意の組み合わせで形成されるユニットシステムの導入の支援に利用されるデータ処理装置であって、各種データを表示画面に表示出力する表示デバイスと、各種の入力操作を受け付ける入力デバイスと、複数種類のユニット部材ごとに各々の前面形状を所定の縮尺で模式したユニット画像が少なくとも調達コストとともに設定されているユニットデータを記憶するデータ記憶部と、ユニット画像を表示画面に表示出力させる画像表示部と、表示出力されているユニット画像の入力デバイスによるレイアウト操作を検知する操作検知部と、検知されたレイアウト操作に対応して表示画面に表示出力されるユニット画像をレイアウトするユニットレイアウト部と、レイアウトされたユニット画像に対応して合計の調達コストを算出する結果算出部と、算出された合計の調達コストを表示画面に表示出力する結果出力部と、を有する。
【００１９】
従って、本発明のデータ処理装置では、表示画面に表示出力されているユニット画像が入力デバイスのレイアウト操作によりレイアウトされると、そのレイアウトに対応して、ユニット部材の調達コストが算出されて表示出力される。このため、複数種類のユニット部材が任意の組み合わせで上下方向に連結されて左右方向に配列されるユニットシステムを新規に導入するような場合に、そのユニット部材のレイアウトを簡単に検討することができるとともに、そのレイアウトしたユニット部材の調達コストも簡単に確認することができる。
【００２０】
本発明の第二のデータ処理装置は、上下方向に連結されて左右方向に配列される複数のユニット部材を有するユニットシステムの導入の支援に利用されるウェブサイトをインターネットによりユーザ端末装置に提供するデータ処理装置であって、複数種類のユニット部材ごとに各々の前面形状を所定の縮尺で模式したユニット画像が少なくとも調達コストとともに設定されているユニットデータを記憶するデータ記憶部と、ユーザ端末装置により閲覧されるウェブサイトの表示画面にユニット画像を表示出力させる画像表示部と、表示出力されているユニット画像のユーザ端末装置によるレイアウト操作を検知する操作検知部と、検知されたレイアウト操作に対応して表示画面に表示出力されるユニット画像をレイアウトするユニットレイアウト部と、レイアウトされたユニット画像に対応して合計の調達コストを算出する結果算出部と、算出された合計の調達コストを表示画面に表示出力させる結果出力部と、を有する。
【００２１】
従って、本発明のデータ処理装置では、ウェブサイトの表示画面に表示出力されているユニット画像がユーザ端末装置のレイアウト操作によりレイアウトされると、そのレイアウトに対応してユニット部材の調達コストが算出され、ユーザ端末装置に閲覧されているウェブサイトに表示出力される。このため、複数種類のユニット部材が任意の組み合わせで上下方向に連結されて左右方向に配列されるユニットシステムを新規に導入するような場合に、そのユニット部材のレイアウトを簡単に検討することができるとともに、そのレイアウトしたユニット部材の調達コストも簡単に確認することができる。
【００２２】
本発明の第一のコンピュータプログラムは、各種データを表示画面に表示出力する表示デバイスと、各種の入力操作を受け付ける入力デバイスと、を有し、上下方向に連結されて左右方向に配列される複数種類のユニット部材の任意の組み合わせで形成されるユニットシステムの導入の支援に利用されるデータ処理装置のためのコンピュータプログラムであって、複数種類のユニット部材ごとに各々の前面形状を所定の縮尺で模式したユニット画像が少なくとも調達コストとともに設定されているユニットデータを記憶するユニット記憶処理と、ユニット画像を表示画面に表示出力させる画像表示処理と、表示出力されているユニット画像の入力デバイスによるレイアウト操作を検知する操作検知処理と、検知されたレイアウト操作に対応して表示画面に表示出力されるユニット画像をレイアウトするユニットレイアウト処理と、レイアウトされたユニット画像に対応して合計の調達コストを算出する結果算出処理と、算出された合計の調達コストを表示画面に表示出力する結果出力処理と、をデータ処理装置に実行させる。
【００２３】
本発明の第二のコンピュータプログラムは、上下方向に連結されて左右方向に配列される複数種類のユニット部材の任意の組み合わせで形成されるユニットシステムの導入の支援に利用されるデータ処理装置のためのコンピュータプログラムであって、複数種類のユニット部材ごとに各々の前面形状を所定の縮尺で模式したユニット画像が少なくとも調達コストとともに設定されているユニットデータを記憶するユニット記憶処理と、ユーザ端末装置により閲覧されるウェブサイトの表示画面にユニット画像を表示出力させる画像表示処理と、表示出力されているユニット画像のユーザ端末装置によるレイアウト操作を検知する操作検知処理と、検知されたレイアウト操作に対応して表示画面に表示出力されるユニット画像をレイアウトするユニットレイアウト処理と、レイアウトされたユニット画像に対応して合計の調達コストを算出する結果算出処理と、算出された合計の調達コストを表示画面に表示出力させる結果出力処理と、をデータ処理装置に実行させる。
【００２４】
本発明の第一のデータ記憶媒体は、各種データを表示画面に表示出力する表示デバイスと、各種の入力操作を受け付ける入力デバイスと、を有し、上下方向に連結されて左右方向に配列される複数種類のユニット部材の任意の組み合わせで形成されるユニットシステムの導入の支援に利用されるデータ処理装置のためのデータ記憶媒体であって、複数種類のユニット部材ごとに各々の前面形状を所定の縮尺で模式したユニット画像が少なくとも調達コストとともに設定されているユニットデータを記憶するユニット記憶処理と、ユニット画像を表示画面に表示出力させる画像表示処理と、表示出力されているユニット画像の入力デバイスによるレイアウト操作を検知する操作検知処理と、検知されたレイアウト操作に対応して表示画面に表示出力されるユニット画像をレイアウトするユニットレイアウト処理と、レイアウトされたユニット画像に対応して合計の調達コストを算出する結果算出処理と、算出された合計の調達コストを表示画面に表示出力する結果出力処理と、をデータ処理装置に実行させるコンピュータプログラムが記録されている。
【００２５】
本発明の第二のデータ記憶媒体は、上下方向に連結されて左右方向に配列される複数種類のユニット部材の任意の組み合わせで形成されるユニットシステムの導入の支援に利用されるデータ処理装置のためのデータ記憶媒体であって、複数種類のユニット部材ごとに各々の前面形状を所定の縮尺で模式したユニット画像が少なくとも調達コストとともに設定されているユニットデータを記憶するユニット記憶処理と、ユーザ端末装置により閲覧されるウェブサイトの表示画面にユニット画像を表示出力させる画像表示処理と、表示出力されているユニット画像のユーザ端末装置によるレイアウト操作を検知する操作検知処理と、検知されたレイアウト操作に対応して表示画面に表示出力されるユニット画像をレイアウトするユニットレイアウト処理と、レイアウトされたユニット画像に対応して合計の調達コストを算出する結果算出処理と、算出された合計の調達コストを表示画面に表示出力させる結果出力処理と、をデータ処理装置に実行させるコンピュータプログラムが記録されている。
【００２６】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００２７】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２８】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００２９】
本発明のデータ処理装置では、複数種類のユニット部材が任意の組み合わせで上下方向に連結されて左右方向に配列されるユニットシステムを新規に導入するような場合に、そのユニット部材のレイアウトを簡単に検討することができるとともに、そのレイアウトしたユニット部材の調達コストも簡単に確認することができる。このため、所望の構造のユニットシステムを最少の調達コストで構築する作業などを良好に支援することができる。
【図面の簡単な説明】
【００３０】
上述した目的、および、その他の目的、特徴および利点は、以下に述べる好適な実施の形態、および、それに付随する以下の図面によって、さらに明らかになる。
【図１】本発明の実施の形態のデータ処理装置の論理構造を示す模式図である。
【図２】データ処理装置の物理構造を示すブロック図である。
【図３】データ処理装置の表示デバイスの表示画面での表示画像を示す模式図である。
【図４】ユニットシステムであるタバコ陳列システムの外観を示す斜視図である。
【図５】タバコ陳列システムの要部の構造を示す分解斜視図である。
【図６】ストッカユニットを使用したタバコ陳列システムの外観を示す斜視図である。
【図７】タバコ陳列システムのメッシュユニットを示す分解斜視図である。
【図８】四種類のユニット画像を示す模式図である。
【図９】さらに二種類のユニット画像を示す模式図である。
【図１０】さらに二種類のユニット画像を示す模式図である。
【図１１】さらに四種類のユニット画像を示す模式図である。
【図１２】さらに二種類のユニット画像を示す模式図である。
【図１３】カウンタ画像を示す模式図である。
【図１４】人型画像を示す模式図である。
【図１５】コンピュータプログラムの論理構造を示す模式図である。
【図１６】データ処理装置の処理動作の前半部分を示すフローチャートである。
【図１７】後半部分を示すフローチャートである。
【図１８】他のタバコ陳列システムの外観を示す斜視図である。
【図１９】タバコ陳列システムの要部の構造を示す分解斜視図である。
【図２０】さらに他のタバコ陳列システムを示す分解斜視図である。
【図２１】さらに他のデータ処理装置の論理構造を示す模式図である。
【発明を実施するための最良の形態】
【００３１】
本発明の実施の一形態を図面を参照して以下に説明する。本実施の形態のデータ処理装置８００は、詳細には後述するが、上下方向に連結されて左右方向に配列される複数種類のユニット部材であるフレームユニット３００の任意の組み合わせで形成されるユニットシステムであるタバコ陳列システム１０００の導入を支援するために利用される。【００３２】
データ処理装置８００は、図１に示すように、各種データを表示画面に表示出力する表示デバイス８０１、各種の入力操作を受け付ける入力デバイス８０２、各種のデータ処理を実行するコンピュータユニット８０３、等をハードウェアとして有する。【００３３】
より詳細には、このコンピュータユニット８０３は、図２に示すように、各種のデータ処理を実行するＣＰＵ（Ｃｅｎｔｒａｌ  Ｐｒｏｃｅｓｓｉｎｇ  Ｕｎｉｔ）８３１、各種データを固定的に記憶しているＲＯＭ（Ｒｅａｄ  Ｏｎｌｙ  Ｍｅｍｏｒｙ）８３２、各種データを一時保持するＲＡＭ（Ｒａｎｄｏｍ  Ａｃｃｅｓｓ  Ｍｅｍｏｒｙ）８３３、等を有し、これらがバスライン８３４で接続されている（図示せず）。【００３４】
さらに、このバスライン８３４には、大容量の各種データを記憶するＨＤＤ（Ｈａｒｄ  Ｄｉｓｃ  Ｄｒｉｖｅ）８４１、データカード８５１が着脱自在に装填されるカードリーダ８４２、ＣＤ（Ｃｏｍｐａｃｔ  Ｄｉｓｃ）−ＲＯＭ８５２が着脱自在に装填されるＣＤドライブ８４３、入力デバイス８０２であるキーボード８４４、入力デバイス８０２であるマウス８４５、ＬＣＤ（Ｌｉｑｕｉｄ  Ｃｒｙｓｔａｌ  Ｄｉｓｐｌａｙ）等からなる表示デバイス８０１、Ｉ／Ｆ（Ｉｎｔｅｒｆａｃｅ）ユニット８４６、等のハードウェアが接続されている。【００３５】
本実施の形態のデータ処理装置８００では、ＲＯＭ８３２、ＲＡＭ８３３、ＨＤＤ８４１、着脱自在なデータカード８５１、着脱自在なＣＤ−ＲＯＭ８５２、等がデータ記憶媒体に相当し、詳細には後述するが、これらの少なくとも一個にＣＰＵ８３１のための各種のコンピュータプログラム８６０が格納されている。【００３６】
このコンピュータプログラム８６０や入力デバイス８０２の入力データなどに対応して、データ処理装置８００は、表示デバイス８０１による画像表示などの各種のデータ処理を実行する。【００３７】
このため、データ処理装置８００は、複数種類のフレームユニット３００ごとに各々の前面形状を所定の縮尺で模式したユニット画像ＵＰが少なくとも調達コストとともに設定されているユニットデータＵＤを記憶するデータ記憶部８１０と、図３に示すように、ユニット画像ＵＰを表示画面に表示出力させる画像表示部８１１と、表示出力されているユニット画像ＵＰの入力デバイス８０２によるレイアウト操作を検知する操作検知部８１２と、検知されたレイアウト操作に対応して表示画面に表示出力されるユニット画像ＵＰをレイアウトするユニットレイアウト部８１３と、レイアウトされたユニット画像ＵＰに対応して合計の調達コストを算出する結果算出部８１４と、算出された合計の調達コストを表示画面に表示出力する結果出力部８１５と、を論理的に有する。【００３８】
より具体的には、本実施の形態のデータ処理装置８００でフレームユニット３００のレイアウトと調達コストとがシミュレートされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。【００３９】
タバコ陳列システム１０００は、商品であるタバコパックＴＰ、複数のタバコパックＴＰがパックされた商品であるタバコカートンＴＫ、タバコパックＴＰがオマケとともに梱包された商品であるボックスパックＢＰ、等を陳列する。なお、このボックスパックＢＰは、例えば、厚紙で形成された簡易什器ＥＦとともに販売店舗に提供される。【００４０】
現在、タバコパックＴＰは、上下寸法に多少の高低はあるものの、一般的に前後左右の寸法が共通した定型の直方体状に形成されている。そして、本実施の形態では、タバコパックＴＰの最大面を前面および後面、最小面を上面および下面、と規定する。【００４１】
なお、通常のタバコパックＴＰは前面（および後面）に銘柄などが表記されている。このため、その前面が前方に位置する適正な方向の状態で陳列されることが好ましい。そして、マガジンユニット１００は、図５に示すように、上述のように方向が適正な状態の複数のタバコパックＴＰを前後方向に配列した状態で収容する。【００４２】
トレーユニット２００も、上面が開口したボックス状に無色透明な樹脂で形成されている。トレーユニット２００には、複数のマガジンユニット１００が左右方向に配列された状態で収容される。【００４３】
ただし、本実施の形態のタバコ陳列システム１０００では、図４に示すように、マガジンユニット１００を五個収容する幅広のトレーユニット２００と三個収容する幅狭のトレーユニット２００とがある。【００４４】
フレームユニット３００は、図５に示すように、一対の本体フレーム３１０と複数の支持フレーム３２０からなる。本体フレーム３１０は、前面形状が矩形の枠状となるように曲折された金属の板材からなり、一対が前後方向に配列されている。【００４５】
支持フレーム３２０は、トレーユニット２００を支持する前後方向に細長いレール状に形成された金属の板材からなり、複数が上下方向に配列されて一対の本体フレーム３１０の内側面に接合されている。【００４６】
ただし、トレーユニット２００は、前述のように二種類の左右寸法がある。そこで、本実施の形態のタバコ陳列システム１０００では、図４に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。【００４７】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔（図示せず）が形成されている。本体フレーム３１０の上面中央には、フレーム凸部となる凸部材３１４が装着されている。【００４８】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。【００４９】
上述のようなタバコ陳列システム１０００は、通常は販売店舗のカウンタ（図示せず）上に設置される。しかし、カウンタがない場所への設置のため、タバコ陳列システム１０００は、図６に示すように、さらにストッカユニット４００やテーブルユニット４１０も有する。【００５０】
ストッカユニット４００は、少なくとも上面が平坦で前面が開閉自在なボックス状に形成されている。テーブルユニット４１０は、上面が平坦で上下方向に扁平なボックス状に形成されている。【００５１】
テーブルユニット４１０は、ユニットボックス４１１にテーブル部材４１２が前後方向にスライド自在に収容されている。このため、テーブル部材４１２を前方に突出させて作業に利用することができる。【００５２】
そして、前述のようにフレームユニット３００は左右寸法が二種類なので、上述のストッカユニット４００とテーブルユニット４１０とは、フレームユニット３００に対応した二種類の左右寸法に形成されている。このため、使用するフレームユニット３００に対応してストッカユニット４００やテーブルユニット４１０も組み合わせることができる。【００５３】
さらに、トレーユニット２００は前後長が二種類なので、上述のストッカユニット４００とテーブルユニット４１０とは、前後長が最大のトレーユニット２００に対応した前後長に形成されている。【００５４】
従って、何れのトレーユニット２００を利用する場合にも、トレーユニット２００がストッカユニット４００より外側に突出するようなことがない。上述のようなストッカユニット４００を利用することにより、カウンタ（図示せず）などがない場所にも、タバコ陳列システム１０００を適正な状態に設置することができる。【００５５】
そこで、上述のような構造のタバコ陳列システム１０００をシミュレートするデータ処理装置８００では、フレームユニット３００の種類ごとのタバコパックＴＰの陳列状態を模式したユニット画像ＵＰをデータ記憶部８１０が記憶している。【００５６】
ただし、複数種類のフレームユニット３００の少なくとも一部は複数種類の陳列状態が規定されている。このため、データ記憶部８１０は、複数種類の陳列状態を模式した複数種類のユニット画像ＵＰを記憶している。【００５７】
より詳細には、タバコ陳列システム１０００は、図４ないし図６に示すように、基本的にはフレームユニット３００に装着したトレーユニット２００にマガジンユニット１００を装着し、そこにタバコパックＴＰを収容する。【００５８】
このため、フレームユニット３００の前面形状を模式したユニット画像ＵＰは、図８に示すように、タバコパックＴＰがマガジンユニット１００により左右に五列に収容されたトレーユニット２００が上下に三段に装着された使用状態のユニット画像ＵＰａ、タバコパックＴＰがマガジンユニット１００により左右に五列に収容されたトレーユニット２００が上下に二段に装着された使用状態のユニット画像ＵＰｂ、タバコパックＴＰがマガジンユニット１００により左右に三列に収容されたトレーユニット２００が上下に三段に装着された使用状態のユニット画像ＵＰｃ、タバコパックＴＰがマガジンユニット１００により左右に三列に収容されたトレーユニット２００が上下に二段に装着された使用状態のユニット画像ＵＰｄ、として各々のユニットデータＵＤに設定されている。【００５９】
なお、タバコ陳列システム１０００は、前述のようにフレームユニット３００にトレーユニット２００で装着したマガジンユニット１００にタバコパックＴＰを収容する他、図４ないし図６に示すように、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。【００６０】
そこで、本実施の形態のデータ処理装置８００では、図８および図９に示すように、複数種類の使用状態に対応した図柄が表記されている複数種類のユニット画像ＵＰｅ，ＵＰｆなども、対応するユニットデータＵＤに各々設定されている。【００６１】
さらに、タバコ陳列システム１０００は、図４および図６に示すように、フレームユニット３００やトレーユニット２００にボックスパックＢＰの簡易什器ＥＦなどを直接に載置することもできる。【００６２】
また、タバコ陳列システム１０００は、図７に示すように、フレームユニット３００に着脱自在に装着されるメッシュユニット４５０でボックスパックＢＰなどを陳列することもできる。【００６３】
そこで、本実施の形態のデータ処理装置８００では、図１０（ａ）に示すように、上述の簡易什器ＥＦを模式したユニット画像ＵＰｇ、図１０（ｂ）に示すように、メッシュユニット４５０を模式したユニット画像ＵＰｈ、も対応するユニットデータＵＤに各々設定されている。【００６４】
さらに、図１１に示すように、ストッカユニット４００の前面形状を模式した複数のユニット画像ＵＰ、図１２に示すように、テーブルユニット４１０の前面形状を模式した複数のテーブルユニット４１０のユニット画像ＵＰ、も対応するユニットデータＵＤに各々設定されている。【００６５】
なお、前述のようにストッカユニット４００にも二種類の左右寸法と二種類の上下寸法との組み合わせの四種類がある。このため、ストッカユニット４００のユニット画像ＵＰも、図１１に示すように、二種類の左右寸法と二種類の上下寸法との組み合わせのユニット画像ＵＰｉ〜ＵＰｌがある。【００６６】
同様に、テーブルユニット４１０も二種類の左右寸法があるため、テーブルユニット４１０のユニット画像ＵＰも、図１２に示すように、二種類の左右寸法のユニット画像ＵＰｍ，ＵＰｎがある。【００６７】
また、タバコ陳列システム１０００は、前述のように販売店舗のカウンタ（図示せず）の上面に設置することもできる。このため、データ記憶部８１０は、図１３に示すように、ユニット画像ＵＰと同一の縮尺でカウンタの前面形状を模式したカウンタ画像ＣＰも記憶している。【００６８】
そこで、本実施の形態のデータ処理装置８００では、画像表示部８１１は、図３に示すように、上述のような各種のユニット画像ＵＰａ〜ＵＰｎおよびカウンタ画像ＣＰを表示画面に表示出力させ、ユニットレイアウト部８１３は、検知されたレイアウト操作に対応してユニット画像ＵＰやカウンタ画像ＣＰをレイアウトする。【００６９】
このため、画像表示部８１１は、ユニット画像ＵＰなどがレイアウトされる専用のレイアウトウインドウＬＷも表示画面に表示出力させ、例えば、その側方に複数のユニット画像ＵＰａ〜ＵＰｎやカウンタ画像ＣＰなどをサンプル表示する。なお、レイアウトウインドウＬＷには、例えば、一辺が１０センチメートルに相当するグリッドが表示される。【００７０】
また、データ記憶部８１０は、図１４に示すように、ユニット画像ＵＰと同一の縮尺で人間の前面形状を模式した人型画像ＰＰも記憶している。このため、画像表示部８１１は、図３に示すように、人型画像ＰＰも表示画面に表示出力させる。【００７１】
そこで、操作検知部８１２は、人型画像ＰＰのレイアウト操作も検知する。ユニットレイアウト部８１３は、検知されたレイアウト操作に対応して人型画像ＰＰをレイアウトされているユニット画像ＵＰの前面ないし側方にレイアウトする。【００７２】
なお、上述の人型画像ＰＰは、作業者の頭部と胴体と脚部とを模式した本体部分ＰＰａと、人間の上肢を模式した左右一対の上肢部分ＰＰｂと、からなる。そして、この左右一対の上肢部分ＰＰｂは、本体部分ＰＰａの肩部に相当する位置を中心に回動自在となっている。【００７３】
そして、操作検知部８１２は、表示出力されている人型画像ＰＰの上肢部分ＰＰｂを回動させる入力操作も検知する。画像表示部８１１は、入力操作に対応して上肢部分ＰＰｂが回動された人型画像ＰＰを表示出力する。【００７４】
また、本実施の形態のデータ処理装置８００では、図１に示すように、前述のデータ記憶部８１０が記憶しているユニットデータＵＤに、前述したユニット画像ＵＰと調達コストの他、フレームユニット３００の種類ごとの左右方向の占有寸法である左右占有寸法、上下方向の占有寸法である上下占有寸法、等も設定されている。【００７５】
このため、結果算出部８１４は、ユニット画像ＵＰのレイアウトに対応して合計の左右占有寸法、合計の上下占有寸法、も各々算出し、結果出力部８１５は、算出された合計の左右占有寸法と上下占有寸法も表示出力する。【００７６】
なお、上述の調達コストは、例えば、フレームユニット３００の販売単価からなる。また、上述の上下左右の占有寸法は、例えば、フレームユニット３００の上下左右の外寸からなる。【００７７】
また、本実施の形態のデータ処理装置８００は、上述した各部８１０〜８１５の他、図１に示すように、予算金額の入力操作を受け付ける予算入力部８２１と、入力操作された予算金額を一時保持する予算保持部８２２と、算出された合計の調達コストが一時保持されている予算金額を超過すると警告を報知出力する警告報知部８２３とを、さらに有する。【００７８】
また、本実施の形態のデータ処理装置８００は、左右方向の予定寸法である左右予定寸法の入力操作を受け付ける左右入力部８２５と、入力操作された左右予定寸法を一時保持する左右保持部８２６と、上下方向の予定寸法である上下予定寸法の入力操作を受け付ける上下入力部８２７と、入力操作された上下予定寸法を一時保持する上下保持部８２８とを、さらに有する。【００７９】
このため、警告報知部８２３は、算出された左右方向や上下方向の合計の占有寸法が、一時保持されている同一方向の予定寸法を超過しても警告を報知出力する。詳細には後述するが、上述した警告の報知出力は、例えば、上述の余裕金額や余裕寸法が赤色で点滅表示されることともに、表示デバイス８０１によるガイダンスメッセージのバルーン表示などで実行される。【００８０】
また、データ記憶部８１０は、タバコ陳列システム１０００の上下方向の許容寸法である上下許容寸法も記憶している。このため、警告報知部８２３は、算出された上下占有寸法が記憶されている上下許容寸法を超過しても警告を報知出力する。【００８１】
なお、上述の各種の入力部８２１，８２５，８２７は、図３に示すように、テキストデータの入力領域として表示画面に表示出力される。そこで、本実施の形態のデータ処理装置８００では、上述の予算入力部８２１の側方に、前述の合計の調達コストである現在金額の表示部と、予算金額と現在金額との差分である余裕金額の表示部と、も用意されている。【００８２】
同様に、左右入力部８２５および上下入力部８２７の左右にも、合計の左右寸法および上下寸法の表示部と、予定寸法と現在寸法との差分である余裕寸法の表示部と、が用意されている。【００８３】
また、タバコ陳列システム１０００の複数種類のフレームユニット３００は、上下方向に連結できる組み合わせと連結できない組み合わせとがある。このため、データ記憶部８１０は、フレームユニット３００の種類ごとに上下方向に連結できる組み合わせが設定されているユニットデータＵＤを記憶している。【００８４】
そこで、ユニットレイアウト部８１３は、上下方向に連結できない組み合わせのレイアウト操作を無効とし、警告報知部８２３は、ユニット画像ＵＰが上下方向に連結できない組み合わせでレイアウト操作されると警告を報知出力する。【００８５】
上述のようなデータ処理装置８００の各部８１０〜は、前述のようにコンピュータユニット８０３がインストールされているコンピュータプログラム８６０に対応して各種の処理動作を実行することで論理的に実現されている。【００８６】
このようなコンピュータプログラム８６０は、例えば、アプリケーションソフトとしてＣＤ−ＲＯＭ８５２などのデータ記憶媒体に格納された状態で（図示せず）、タバコパックＴＰのサプライヤから販売店舗などに提供される。【００８７】
なお、上述のようなコンピュータプログラム８６０がアプリケーションソフトとしてインストールされる販売店舗のデータ処理装置８００には、事前にＯＳ（Ｏｐｅｒａｔｉｎｇ  Ｓｙｓｔｅｍ）が実装されている。このため、前述した各部８１０〜は、実際にはＯＳとアプリケーションソフトの協調動作により実現される。【００８８】
このようなアプリケーションソフトのコンピュータプログラム８６０は、例えば、図１５に示すように、リソースセット８６１とプログラムモジュールセット８７０からなる。【００８９】
リソースセット８６１は、前述のようにユニット画像ＵＰや調達コストからなるユニットデータＵＤ、カウンタ画像ＣＰ、人型画像ＰＰ、許容上下寸法、等の各種データからなる。【００９０】
プログラムモジュールセット８７０は、例えば、データ処理装置８００に、複数種類のフレームユニット３００ごとに各々の前面形状を所定の縮尺で模式したユニット画像ＵＰが調達コストや占有寸法などとともに設定されているユニットデータＵＤを記憶するユニット記憶処理を実行させる記憶処理モジュール８７１、ユニット画像ＵＰを表示デバイス８０１の表示画面に表示出力させる画像表示処理を実行させる表示処理モジュール８７２、表示出力されているユニット画像ＵＰの入力デバイス８０２によるレイアウト操作を検知する操作検知処理を実行させる検知処理モジュール８７３、検知されたレイアウト操作に対応して表示デバイス８０１の表示画面に表示出力されるユニット画像ＵＰをレイアウトするユニットレイアウト処理を実行させるレイアウト処理モジュール８７４、レイアウトされたユニット画像ＵＰに対応して合計の調達コストと合計の占有寸法とを算出する結果算出処理を実行させる算出処理モジュール８７５、算出された合計の調達コストと合計の占有寸法とを表示画面に表示出力する結果出力処理を実行させる出力処理モジュール８７６、等の各種のプログラムモジュールからなる。【００９１】
上述のような構成において、本実施の形態のデータ処理装置８００およびタバコ陳列システム１０００の使用方法を以下に説明する。まず、本実施の形態のタバコ陳列システム１０００では、四種類のフレームユニット３００、四種類のトレーユニット２００、二種類のマガジンユニット１００、等を所望により自在に組み合せることができる。【００９２】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。【００９３】
さらに、タバコパックＴＰを三行に保持する背高のフレームユニット３００と二行に保持する背低のフレームユニット３００とがあるので、設置スペースの上下寸法にも良好に対応することができる。【００９４】
ただし、タバコ陳列システム１０００は、上述のように設置の自由度が極度に高いため、新規に導入する販売店舗では、そのフレームユニット３００のレイアウトを詳細に検討することが好ましい。【００９５】
しかも、タバコ陳列システム１０００は、上述のように販売店舗が利用するフレームユニット３００の種類と個数を自由に変更することができる。従って、タバコ陳列システム１０００を新規に導入する場合、そのフレームユニット３００の調達コストは一様ではない。【００９６】
このため、タバコ陳列システム１０００を新規に導入する販売店舗では、そのフレームユニット３００のレイアウトと調達コストとを事前にシミュレートすることが好ましい。【００９７】
そこで、タバコ陳列システム１０００が販売店舗に導入されるとき、本実施の形態のデータ処理装置８００としてコンピュータ装置を機能させるためのコンピュータプログラム８６０が、タバコパックＴＰおよびタバコ陳列システム１０００のサプライヤから販売店舗にＣＤ−ＲＯＭ８５２などで提供される。【００９８】
この場合、販売店舗の作業者は、そのコンピュータプログラム８６０を自前のコンピュータ装置にインストールし、そのコンピュータプログラム８６０を起動することでコンピュータ装置をデータ処理装置８００として機能させる。【００９９】
すると、このデータ処理装置８００では、図３および図１６に示すように、表示デバイス８０１の表示画面に、各種のユニット画像ＵＰａ〜ＵＰｎ、カウンタ画像ＣＰ、人型画像ＰＰ、レイアウトウインドウＬＷ、各種金額の入力部８２１および表示部、各種寸法の入力部８２５，８２７および表示部、等が表示出力される（ステップＳ１）。【０１００】
このとき、初期画面では、レイアウトウインドウＬＷ、金額と寸法の入力部８２１，８２５，８２７および表示部、等は白紙状態として表示出力される。また、表示画面には、上述のコンピュータプログラム８６０とＯＳとの協調動作により、マウスカーソルＭＣも表示出力される。【０１０１】
このような状態で、例えば、作業者が所望により予算金額や上下左右の予定寸法を入力デバイス８０２で入力部８２１，８２５，８２７に入力操作すると（ステップＳ２〜Ｓ４）、その入力データが保持されて入力部８２１，８２５，８２７に表示出力される（ステップＳ５〜Ｓ７）。【０１０２】
例えば、タバコ陳列システム１０００を導入する販売店舗の予算金額が１０万円の場合、入力デバイス８０２により予算入力部８２１に「１０００００」なるテキストデータが入力操作されて表示出力される。【０１０３】
また、販売店舗でのタバコ陳列システム１０００の設置場所の左右予定寸法が１２０センチメートルの場合、左右入力部８２５に「１２０」なるテキストデータが入力操作されて表示出力される。【０１０４】
同様に、販売店舗でのタバコ陳列システム１０００の設置場所の上下予定寸法が１４０センチメートルの場合、上下入力部８２７に「１４０」なるテキストデータが入力操作されて表示出力される。【０１０５】
また、作業者が所望によりマウスカーソルＭＣによるドラッグ＆ドロップなどで、ユニット画像ＵＰやカウンタ画像ＣＰをレイアウトウインドウＬＷにレイアウト操作すると、これを検知したデータ処理装置８００では（ステップＳ８）、そのレイアウト操作が適正か判定される（ステップＳ９）。【０１０６】
例えば、図３に示すように、レイアウトウインドウＬＷの最下部には、フレームユニット３００やストッカユニット４００のユニット画像ＵＰおよびカウンタ画像ＣＰはレイアウトすることができる。【０１０７】
さらに、ストッカユニット４００のユニット画像ＵＰの直上にストッカユニット４００のユニット画像ＵＰをレイアウトすることもできる。また、ストッカユニット４００のユニット画像ＵＰおよびカウンタ画像ＣＰの直上に、テーブルユニット４１０やフレームユニット３００のユニット画像ＵＰをレイアウトすることもできる。そして、フレームユニット３００のユニット画像ＵＰの直上にはフレームユニット３００のユニット画像ＵＰをレイアウトすることができる。【０１０８】
しかし、カウンタ画像ＣＰは、最下部以外にはレイアウトできない。また、ストッカユニット４００のユニット画像ＵＰはフレームユニット３００のユニット画像ＵＰの直上にはレイアウトできない。【０１０９】
さらに、テーブルユニット４１０のユニット画像ＵＰは、カウンタ画像ＣＰまたはストッカユニット４００のユニット画像ＵＰとフレームユニット３００のユニット画像ＵＰとの中間以外にはレイアウトできない。上述のようなレイアウトの可否は、例えば、ユニットデータＵＤやカウンタ画像ＣＰなどに、属性データとして個々に設定されている。【０１１０】
そこで、作業者により不能なレイアウト操作が実行されても（ステップＳ９）、そのレイアウト操作は無視され、例えば、「このユニットを、このように配置することはできません。このユニットは…」などのガイダンスメッセージがレイアウト警告としてバルーン表示などで報知出力される（ステップＳ１０）。【０１１１】
一方、作業者により可能なレイアウト操作が実行されると（ステップＳ９）、そのレイアウト操作に対応してレイアウトデータが生成され、レイアウトウインドウＬＷにカウンタ画像ＣＰやユニット画像ＵＰがレイアウト表示される（ステップＳ１１）。【０１１２】
なお、当然ながら、レイアウトウインドウＬＷにはユニット画像ＵＰのコピーがレイアウトされる。このため、作業者は所望により同一のユニット画像ＵＰをレイアウトウインドウＬＷに何段にも配列するようなこともできる。【０１１３】
また、レイアウトウインドウＬＷは、やはりマウスカーソルＭＣによる入力操作などで上下左右の寸法を可変することができる。そして、レイアウトウインドウＬＷにレイアウト操作されたユニット画像ＵＰは、そのレイアウトウインドウＬＷに対応した縮尺で表示出力される。【０１１４】
また、本実施の形態のデータ処理装置８００では、例えば、上述のようにレイアウト操作したカウンタ画像ＣＰを、入力デバイス８０２の入力操作などにより左右方向に伸縮させることができる。このため、販売店舗に実際に設置されているカウンタにカウンタ画像ＣＰを対応させることができる。【０１１５】
また、本実施の形態のデータ処理装置８００では、上述のようなユニット画像ＵＰのレイアウト操作とは別個の処理動作として、図３に示すように、人型画像ＰＰをレイアウトウインドウＬＷにレイアウト操作することもできる。【０１１６】
その場合、所望により人型画像ＰＰの上肢部分ＰＰｂを回動操作することもできる。このため、ユニット画像ＵＰをレイアウト操作するときに、標準的な作業者の身長や作業範囲と比較することができる。【０１１７】
そして、前述のようにレイアウトウインドウＬＷにユニット画像ＵＰがレイアウトされると、そのユニット画像ＵＰに対応したユニットデータＵＤの調達コストが合計されて現在金額が算出される。【０１１８】
さらに、そのユニットデータＵＤの左右寸法と上下寸法とが、ユニット画像ＵＰのレイアウトに対応して各々合計され、左右現在寸法と上下現在寸法とが算出される（ステップＳ１２）。この算出された現在金額と左右現在寸法と上下現在寸法とが表示出力される（ステップＳ１３）。【０１１９】
例えば、単価が４千円、左右寸法が３５センチメートル、上下寸法が２５センチメートル、のフレームユニット３００のユニット画像ＵＰが、左右方向に三列、上下方向に六行、に配列された場合、予算入力部８２１に隣接した現在金額の表示部に「７２０００」、左右入力部８２５に隣接した左右現在寸法の表示部に「１０５」、上下入力部８２７に隣接した上下現在寸法の表示部に「１５０」、なるテキストデータが表示される。【０１２０】
なお、前述のように予算金額が入力操作されて一時保持されていた場合は（ステップＳ１４）、その予算金額から現在金額を減算した結果が余裕金額として算出される（ステップＳ１５）。【０１２１】
そして、その余裕金額が正値の場合は（ステップＳ１６）、そのまま表示出力される（ステップＳ１８）。一方、余裕金額が負値の場合は（ステップＳ１６）、例えば、余裕金額が赤色で点滅表示されるとともに、「予算をオーバーしています」などのガイダンスメッセージが予算警告としてバルーン表示などで報知出力される（ステップＳ１７）。【０１２２】
さらに、図１７に示すように、前述のように左右予定寸法が入力操作されて一時保持されていた場合は（ステップＳ１９）、その左右予定寸法から左右現在寸法を減算した結果が左右余裕寸法として算出される（ステップＳ２０）。【０１２３】
その左右余裕寸法が正値の場合は（ステップＳ２１）、そのまま表示出力される（ステップＳ２３）。一方、左右余裕寸法が負値の場合は（ステップＳ２１）、例えば、左右余裕寸法が赤色で点滅表示されるとともに、「左右寸法が予定をオーバーしています」などのガイダンスメッセージが左右警告としてバルーン表示などで報知出力される（ステップＳ２２）。【０１２４】
また、上下現在寸法が上下許容寸法を超過しているかが判定され（ステップＳ２４）、超過しているときは、上下現在寸法が赤色で点滅表示されるとともに、「上下寸法が安全範囲をオーバーしています」などのガイダンスメッセージが左右警告としてバルーン表示などで報知出力される（ステップＳ２８）。【０１２５】
一方、上下現在寸法が上下許容寸法を超過していないとき（ステップＳ２４）、前述のように上下予定寸法が入力操作されて一時保持されていた場合は（ステップＳ２５）、その上下予定寸法から上下現在寸法を減算した結果が上下余裕寸法として算出される（ステップＳ２６）。【０１２６】
その上下余裕寸法が正値の場合は（ステップＳ２７）、そのまま表示出力される（ステップＳ２９）。一方、上下余裕寸法が負値の場合は（ステップＳ２７）、例えば、上下余裕寸法が赤色で点滅表示されるとともに、「上下寸法が予定をオーバーしています」などのガイダンスメッセージが上下警告としてバルーン表示などで報知出力される（ステップＳ２８）。【０１２７】
例えば、前述のように、予算金額が「１０００００」、左右予定寸法が「１２０」、上下予定寸法が「１４０」、と設定された状態で、レイアウト操作により、現在金額が「７２０００」、左右現在寸法が「１０５」、上下現在寸法が「１５０」、と算出された場合、余裕金額は「２８０００」、左右余裕寸法は「１５」、として正値で表示出力されるが、上下余裕寸法は「−１０」なる負値として警告ガイダンスとともに赤色で点滅表示される。【０１２８】
なお、上述のように金額や寸法の警告が報知出力された状態でも、図１６に示すように、予算金額や予定寸法を再度入力したり（ステップＳ２〜Ｓ７）、ユニット画像ＵＰのレイアウトを変更することにより（ステップＳ８〜Ｓ１１）、警告が報知出力されない状態とすることもできる（ステップＳ１２〜Ｓ２９）。【０１２９】
例えば、前述のように上下予定寸法が「１４０」のときに、上下寸法が２５センチメートルのフレームユニット３００のユニット画像ＵＰが上下方向に六行に配列され、上下現在寸法が「１５０」、上下余裕寸法が「−１０」となったときでも、その最上位のユニット画像ＵＰが削除されれば、上下現在寸法が「１２５」、上下余裕寸法が「１５」となって警告ガイダンスも消去される。【０１３０】
また、表示画面のリセットアイコンが入力操作されると（ステップＳ３０）、入力操作された予算金額やレイアウト操作されたユニット画像ＵＰなどがリセットされる（ステップＳ３１）。【０１３１】
そして、上述のような入力操作の結果としてユニット画像ＵＰの所望のレイアウトを確定できた作業者は、そのレイアウトのタバコ陳列システム１０００を注文するならば、図３に示すように、表示画面の注文アイコンを入力操作する。【０１３２】
すると、図１７に示すように、これを検知したデータ処理装置８００は（ステップＳ３３）、例えば、店舗情報などの注文画面を表示出力し、そこに入力操作された各種データをタバコ陳列システム１０００のサプライヤにインターネットで送信するなどして、注文処理を実行する（ステップＳ３４）。【０１３３】
その場合、販売店舗からサプライヤに送信される注文データには、例えば、レイアウト操作されたユニットデータＵＤ、複数のユニットデータＵＤの相対関係からなるレイアウトデータ、合計金額、等が内包される。【０１３４】
そこで、上述のような注文データを受信したサプライヤは、例えば、そのレイアウトデータに対応した組立説明書を作成する。さらに、注文データに内包されている合計金額により請求書を作成する。【０１３５】
そして、注文データのユニットデータＵＤに対応するフレームユニット３００等を、組立説明書および請求書とともに販売店舗に発送する。そこで、販売店舗では、受領したフレームユニット３００を組立説明書に対応して組み立てることにより、タバコ陳列システム１０００を設置する。さらに、販売店舗は、フレームユニット３００に同梱される請求書に対応してサプライヤに料金を支払う。【０１３６】
本実施の形態のタバコ陳列システム１０００は、前述のように複数種類のフレームユニット３００を販売店舗で自由に組み合わせることにより、上下左右の寸法などを自在に変更することができるので、理想的な売場構築を実現することができる。【０１３７】
しかし、換言すると、タバコ陳列システム１０００を利用する販売店舗では、設置場所の上下左右の寸法に対応するように、フレームユニット３００等のレイアウトを決定する必要がある。さらに、タバコ陳列システム１０００を新規に導入する販売店舗では、フレームユニット３００等の種類や個数により変化する調達コストも考慮する必要がある。【０１３８】
しかし、タバコ陳列システム１０００は、フレームユニット３００等のレイアウトの自由度が極度に高度である。このため、全体の占有寸法と調達コストまで考慮しながら最適なレイアウトを決定することは容易ではない。【０１３９】
しかし、本実施の形態のデータ処理装置８００では、上述のように表示画面に表示出力されているユニット画像ＵＰを入力デバイス８０２によりレイアウト操作することができる。【０１４０】
しかも、そのレイアウトに対応したフレームユニット３００の調達コストが算出されて表示出力される。このため、タバコ陳列システム１０００を新規に導入するような場合でも、そのフレームユニット３００等のレイアウトを作業者が簡単に検討することができるとともに、そのレイアウトしたフレームユニット３００等の調達コストも簡単に確認することができる。【０１４１】
従って、作業者はタバコ陳列システム１０００の全体の占有寸法と調達コストまで考慮しながらフレームユニット３００等の最適なレイアウトを決定することができる。このため、データ処理装置８００は、最適な構造のタバコ陳列システム１０００を最少の調達コストで構築する作業などを良好に支援することができる。【０１４２】
特に、ユニット画像ＵＰは複数種類のフレームユニット３００等の前面形状を模式しているので、作業者はタバコ陳列システム１０００の完成イメージをリアルタイムに直感的に確認することができる。【０１４３】
しかも、データ処理装置８００は、ユニット画像ＵＰがレイアウト操作されるごとに合計の調達コストが算出されて表示出力される。このため、作業者は所望のユニット画像ＵＰをレイアウト操作しながら、その調達に必要なコストをリアルタイムに確認することができる。【０１４４】
特に、データ処理装置８００は、作業者の所望により予算金額を入力操作することができ、その予算金額の側方に現在金額が表示出力される。しかも、予算金額から現在金額を減算した余裕金額も、さらに側方に表示出力される。【０１４５】
このため、作業者は所望のユニット画像ＵＰをレイアウト操作しながら、その調達コストを予算金額とリアルタイムに比較することができ、余裕金額をリアルタイムに確認することができる。【０１４６】
特に、余裕金額が負値となると、金額警告が報知出力される。このため、作業者はユニット画像ＵＰをレイアウト操作しているときに、現在金額が予算金額を超過したことをリアルタイムに確認することができる。【０１４７】
そして、このように金額警告が報知出力されているときでも、ユニット画像ＵＰのレイアウト変更や予算金額の編集操作を実行することができ、これで余裕金額が正値となると金額警告の報知出力が解除される。【０１４８】
このため、作業者は予算を超過しないフレームユニット３００のレイアウトや、所望のタバコ陳列システム１０００の導入に必要な予算などを、リアルタイムに検討することができる。【０１４９】
しかも、本実施の形態のデータ処理装置８００では、ユニット画像ＵＰがレイアウト操作されるごとに、実際のタバコ陳列システム１０００での占有寸法が算出されて表示出力される。【０１５０】
このため、所望のユニット画像ＵＰをレイアウト操作しながら、その設置に必要な寸法をリアルタイムに確認することができる。特に、占有寸法の算出が上下方向と左右方向とで個々に実行されるので、設置場所に最適に対応したレイアウトを検討することができる。【０１５１】
さらに、作業者の所望により上下および左右の予定寸法を入力操作することができ、その予定寸法の側方に上下および左右の現在寸法が表示出力される。しかも、予定寸法から現在寸法を減算した余裕寸法も、さらに側方に表示出力される。【０１５２】
このため、作業者は所望のユニット画像ＵＰをレイアウト操作しながら、その占有寸法を予定寸法とリアルタイムに比較することができ、余裕寸法をリアルタイムに確認することができる。【０１５３】
特に、余裕寸法が負値となると、寸法警告が報知出力される。このため、作業者はユニット画像ＵＰをレイアウト操作しているときに、現在寸法が予定寸法を超過したことをリアルタイムに確認することができる。【０１５４】
そして、このように寸法警告が報知出力されているときでも、ユニット画像ＵＰのレイアウト変更や予定寸法の編集操作を実行することができ、これで余裕寸法が正値となると寸法警告の報知出力が解除される。【０１５５】
このため、作業者は現場に問題なく設置できるフレームユニット３００のレイアウトや、所望のタバコ陳列システム１０００の設置に必要なスペースなどを、リアルタイムに検討することができる。【０１５６】
しかも、データ処理装置８００は、作業者により自由に設定される上下予定寸法とは別個に、安全性の観点から事前に決定されている上下許容寸法も記憶している。そして、上下現在寸法が上下予定寸法を超過しなくとも上下許容寸法を超過すると、専用の寸法警告が報知出力される。【０１５７】
このため、タバコ陳列システム１０００の安全な上下寸法を作業者に簡単かつ確実に認識させることができ、タバコ陳列システム１０００が危険な寸法に構築されて利用されることを防止できる。【０１５８】
また、タバコ陳列システム１０００は、複数種類のフレームユニット３００等に上下方向に連結できる組み合わせと連結できない組み合わせとがある。そして、データ処理装置８００では、上下方向に連結できない組み合わせのユニット画像ＵＰのレイアウト操作を無効とし、ユニット画像ＵＰが上下方向に連結できない組み合わせでレイアウト操作されるとレイアウト警告を報知出力する。【０１５９】
このため、フレームユニット３００等の連結できない組み合わせを作業者に簡単かつ確実に認識させることができ、タバコ陳列システム１０００が危険な構造に構築されて利用されることを防止できる。【０１６０】
また、タバコ陳列システム１０００は、販売店舗のカウンタの上面に設置されることも多々ある。しかし、データ処理装置８００は、ユニット画像ＵＰと同一の縮尺でカウンタの前面形状を模式したカウンタ画像ＣＰも表示画面に表示出力してレイアウト操作することができる。このため、カウンタの上面にタバコ陳列システム１０００を設置する場合でも、作業者は良好に完成イメージを確認することができる。【０１６１】
特に、上述のようにカウンタ画像ＣＰをユニット画像ＵＰとともにレイアウト操作すると、カウンタの上下寸法はタバコ陳列システム１０００の上下寸法として反映されるが、左右寸法や金額は反映されない。このため、カウンタの上面にタバコ陳列システム１０００を設置する場合に、検討が必要な情報のみを作業者に提供することができる。【０１６２】
なお、タバコ陳列システム１０００では、フレームユニット３００の種類ごとにタバコパックＴＰやタバコカートンＫＴなどの陳列状態が規定されている。そして、データ処理装置８００は、陳列状態を模式したユニット画像ＵＰを表示出力してレイアウト操作することができる。このため、作業者はフレームユニット３００の寸法が同一でもタバコパックＴＰなどの陳列状態が相違する状態を、簡単かつ確実に確認することができる。【０１６３】
さらに、タバコ陳列システム１０００では、フレームユニット３００やトレーユニット２００にボックスパックＢＰの簡易什器ＥＦなどを直接に載置することもできる。また、メッシュユニット４５０などを利用することもできる。【０１６４】
しかし、データ処理装置８００は、上述のような複数種類の使用状態の図柄が表記されているユニット画像ＵＰａ〜ＵＰｈも表示出力してレイアウト操作することができる。このため、作業者は各種ユニット４５０等を利用する場合でもタバコ陳列システム１０００の完成イメージを良好に確認することができる。【０１６５】
また、本実施の形態のデータ処理装置８００は、ユニット画像ＵＰと同一の縮尺で人間の前面形状を模式した人型画像ＰＰも、表示画面に表示出力してレイアウト操作することができる。【０１６６】
このため、作業者は構築するタバコ陳列システム１０００の上下寸法が過剰でないかなども確認することができ、タバコ陳列システム１０００の全体寸法などを直感的に確認することができる。【０１６７】
特に、人型画像ＰＰは、上肢部分ＰＰｂを入力操作により回動させることができる。このため、作業者は構築するタバコ陳列システム１０００の上下寸法が適正かなども、簡単かつ確実に確認することができる。【０１６８】
しかも、人型画像ＰＰは、左右一対の上肢部分ＰＰｂを有する。このため、人型画像ＰＰの左右の上肢部分ＰＰｂを水平に位置させることなどにより、構築するタバコ陳列システム１０００の左右寸法が適切かなども確認することができる。【０１６９】
なお、本発明は本実施の形態に限定されるものではなく、その要旨を逸脱しない範囲で各種の変形を許容する。例えば、上記形態ではタバコ陳列システム１０００がユニット部材としてフレームユニット３００を有し、これに対応してデータ処理装置８００が形成されていることを例示した。【０１７０】
しかし、タバコ陳列システム１０００が、ユニット部材としてウォールユニット５００を有してもよい。その場合、図１８に示すように、フレームユニット３００を利用することなくウォールユニット５００を利用してタバコ陳列システム１０００を構築することもできる。【０１７１】
そのウォールユニット５００としては、図１９に示すように、ベースウォール５００ａとパネルウォール５００ｂとがある。パネルウォール５００ｂは、複数を上下方向に連結することができ、ベースウォール５００ａの上端に連結することもできる。【０１７２】
そこで、所望の上下寸法のウォールユニット５００を形成することができる。そして、このようなウォールユニット５００にトレーアタッチメント６００でトレーユニット２００を装着することができる。【０１７３】
タバコ陳列システム１０００は、複数のウォールユニット５００を上下方向に連結して所望の上下寸法とすることができる。また、そのウォールユニット５００を左右方向に配列して所望の左右寸法とすることができる。【０１７４】
そして、上述のように上下左右に配列したウォールユニット５００の前面の所望の位置にトレーアタッチメント６００を装着し、そのトレーアタッチメント６００にトレーユニット２００を保持させることができる。そのトレーユニット２００にタバコカートンＴＫを直接に収容することもでき、マガジンユニット１００でタバコパックＴＰを収容することもできる。【０１７５】
さらに、図１８に示すように、上述のように上下左右に配列したウォールユニット５００を、上下左右に配列したストッカユニット４００の上面に、テーブルユニット４１０などとともに設置することもできる。【０１７６】
また、ウォールユニット５００で構築したシステムとフレームユニット３００で構築したシステムとを並設してタバコ陳列システム１０００とすることもできる（図示せず）。【０１７７】
そして、上述のウォールユニット５００の前面形状を前述の縮尺で模式したユニット画像を、データ処理装置８００が表示画面に表示出力してレイアウト操作させてもよい（図示せず）。【０１７８】
また、上記形態ではフレームユニット３００などの構造部品でタバコ陳列システム１０００が構築され、そのフレームユニット３００などのユニット画像ＵＰがデータ処理装置８００で表示出力されてレイアウト操作されることを例示した。【０１７９】
しかし、タバコ陳列システム１０００には、図２０に示すように、組み合されたフレームユニット３００の内部や外部に複数種類の宣伝部材４２０が設置されることもある。【０１８０】
そこで、データ処理装置８００が、複数種類の宣伝部材４２０ごとに前面形状をユニット画像ＵＰと同一の縮尺で模式した宣伝部材画像が少なくとも調達コストとともに設定されている宣伝部材データも表示出力してレイアウト操作させ、そのレイアウトされたユニット画像ＵＰと宣伝部材画像とに対応して合計の調達コストを算出してもよい。この場合、販売店舗は宣伝部材４２０も考慮してタバコ陳列システム１０００の構築を検討することができる。【０１８１】
なお、上述のような宣伝部材４２０は、例えば、タバコパックＴＰやタバコ陳列システム１０００のサプライヤから販売店舗に有償や無償で提供される。そこで、無償の場合には宣伝部材データの調達コストを「０」に設定しておけばよい。【０１８２】
また、上記形態ではフレームユニット３００等の調達コストとして単純に売買金額がユニットデータＵＤに設定されていることを想定した。しかし、その調達コストに、フレームユニット３００の送料や組立サービスの代金などを反映させておいてもよい。【０１８３】
さらに、上記形態では同一寸法でもタバコパックＴＰやタバコカートンＴＫの陳列状態が相違するユニット画像ＵＰが事前にデータ処理装置８００に登録されていて個々に表示出力されることを例示した。【０１８４】
しかし、ユニット画像が外形寸法ごとに一つのみ表示出力され、そのユニット画像の内部での陳列状態の模式画像が入力操作に対応して切換表示されてもよい。この場合、レイアウトしたユニット画像の全体寸法などは変更することなく、タバコパックＴＰやタバコカートンＴＫの陳列状態のみ変更させて検討するようなことができる。【０１８５】
また、上記形態ではユニット画像ＵＰは陳列状態の模式画像からなることを例示した。しかし、ユニット画像ＵＰが実際のフレームユニット３００等の写真データでもよく、模式画像と写真データとが切換表示されてもよい。この場合、よりリアルなタバコ陳列システム１０００の完成イメージを作業者に提供することができる。【０１８６】
さらに、上記形態ではレイアウトウインドウＬＷにグリッドのみ表示されていることを例示した。しかし、データ処理装置が、作業者によりデジタルカメラなどで撮像された店内の写真データの入力を受け付け、その写真データをレイアウトウインドウＬＷの背景として表示してもよい。この場合、タバコ陳列システム１０００が販売店舗に設置された状態を、さらにリアルに作業者に確認させることができる。【０１８７】
また、上記形態ではレイアウトウインドウＬＷにユニット画像ＵＰと同様にカウンタ画像ＣＰをレイアウト操作できることを例示した。しかし、所定の入力操作に対応してレイアウトウインドウＬＷの所定位置にカウンタ画像ＣＰをオンオフ表示してもよい（図示せず）。【０１８８】
さらに、上記形態ではカウンタ画像ＣＰの左右寸法のみ調整できることを例示した。しかし、実際のカウンタの上下寸法の入力操作などに対応してカウンタ画像ＣＰの上下寸法が調整されてもよい。【０１８９】
また、上記形態では白紙状態のレイアウトウインドウＬＷに作業者が所望のユニット画像ＵＰをレイアウト操作することを例示した。しかし、データ処理装置が、事前にユニット画像ＵＰがレイアウトされたサンプルデータを記憶しており、そのサンプルデータがレイアウトウインドウＬＷに表示出力されてもよい。【０１９０】
この場合、販売店舗の作業者はサプライヤが推奨するサンプルデータを参考とすることができ、そのサンプルデータを編集することで所望のレイアウトデータを容易に生成することもできる。【０１９１】
さらに、前述のように上下寸法が充分なタバコ陳列システム１０００では、顧客の注目度が上下位置により相違することが判明している。そこで、顧客の注目度の高低に対応した配色でレイアウトウインドウＬＷが表示出力されてもよい。【０１９２】
この場合、例えば、顧客の注目度が高い位置にボックスパックＢＰを収容する簡易什器ＥＦのユニット画像ＵＰｇを配置し、顧客の注目度が低い位置にタバコカートンＴＫを収容するフレームユニット３００のユニット画像ＵＰｆを配置する、などのレイアウト操作を容易に実施することができる。【０１９３】
さらに、上記形態ではタバコ陳列システム１０００の上下許容寸法が事前に規定されていてデータ処理装置８００に登録されていることを例示した。しかし、データ処理装置が、作業者の身長の入力操作を受け付ける身長入力部と、入力操作された身長を一時保持する身長保持部と、一時保持された身長から上下方向の適正寸法を算出する適正算出部とを、さらに有し（図示せず）、算出された合計の占有寸法が算出された適正寸法を超過すると不適警告を報知出力してもよい。この場合、作業者は構築するタバコ陳列システム１０００の上下寸法が、自身の身長に対応して適正かを簡単に確認することができる。【０１９４】
また、上述のように身長入力部と身長保持部とを有するデータ処理装置が、さらに、一時保持された身長に対応して表示画面に表示出力される人型画像ＰＰの縮尺を調整する人型調整部を有してもよい（図示せず）。【０１９５】
この場合、作業者は構築するタバコ陳列システム１０００の上下寸法が自身の身長に対応して適正かを、レイアウトしたユニット画像ＵＰと人型画像ＰＰとの相対関係で直感的に確認することができる。さらに、事前に複数種類の身長の人型画像ＰＰが用意されていてもよい。【０１９６】
さらに、上記形態では不透明な人型画像ＰＰがレイアウト操作されたユニット画像ＵＰの側方ないし前面にレイアウト操作できることを想定した。しかし、このような人型画像ＰＰが半透明に表示出力されてもよく、いわゆるマウス８４５の右クリックなどで表示がオンオフされてもよい。【０１９７】
また、上記形態ではデータ処理装置８００がユニット画像ＵＰのレイアウト操作に対応して、タバコ陳列システム１０００の実際の調達コストと占有寸法とをリアルタイムに算出して表示出力することを例示した。しかし、作業者がユニット画像ＵＰをレイアウト操作してから所定操作で確定を入力したときに、データ処理装置が調達コストや占有寸法を算出して表示出力してもよい。【０１９８】
このような算出とデータ出力とがリアルタイムに逐次実行される場合は、作業者の操作性を向上させることができ、入力操作に対応して実行される場合は、データ処理装置の処理負担を軽減することができる。【０１９９】
さらに、上記形態では予算金額や予定寸法が設定されている状態でレイアウトされたユニットデータＵＤに対応して、合計金額や合計寸法とともに余裕金額や余裕寸法も算出されて表示出力されることのみ例示した。【０２００】
しかし、上述のように算出された余裕金額や余裕寸法に対応して、さらにレイアウトできるユニット画像をハイライト表示するとともに、レイアウトできないユニット画像をブラックアウト表示してもよい。【０２０１】
この場合、予算金額や予定寸法を超過しない範囲で、さらに選択できるユニットフレーム３００を一目で確認することができ、予算金額や予定寸法の限界寸前までレイアウトを調整するようなことが容易となる。【０２０２】
さらに、上記形態ではデータ処理装置８００がユニット画像ＵＰのレイアウト操作に対応してタバコ陳列システム１０００の実際の調達コストと占有寸法とをデータ出力することを例示した。しかし、前述のようにタバコ陳列システム１０００のフレームユニット３００は種類ごとに定型サイズのタバコパックＴＰの収容個数と陳列個数とが規定されている。【０２０３】
そこで、データ処理装置が、フレームユニット３００の種類ごとに少なくとも陳列個数や収容個数が設定されているユニットデータＵＤを記憶し、レイアウトされた複数のユニット画像ＵＰに対応した合計の陳列個数や合計の収容個数も出力してもよい（図示せず）。この場合、作業者はタバコパックＴＰの陳列できる個数と収容できる個数も考慮しながら、タバコ陳列システム１０００の構築を検討することができる。【０２０４】
さらに、前述のように複数種類のフレームユニット３００の少なくとも一部は定型サイズのタバコパックＴＰを前後方向に配列して収容する配列個数が規定されている。一方、フレームユニット３００の上下左右でのタバコパックＴＰの配列個数はユニット画像ＵＰで確認できるが、前後方向での配列個数は確認できない。【０２０５】
そこで、データ処理装置が、配列個数が表記されたユニット画像ＵＰを記憶していてもよい（図示せず）。この場合、フレームユニット３００の前後方向でのタバコパックＴＰの配列個数を、表示出力されるユニット画像ＵＰで確認することができる。【０２０６】
また、上記形態では販売店舗のコンピュータ装置をデータ処理装置８００として機能させるコンピュータプログラム８６０が、ＣＤ−ＲＯＭ８５２などのデータ記憶媒体によりサプライヤから提供されることを例示した。しかし、このようなコンピュータプログラム８６０が、いわゆるインターネットなどによるデータ通信で提供されてもよい。【０２０７】
さらに、上述のデータ処理装置８００と同様な機能のサービスが、サプライヤのサーバなどのデータ処理装置により、販売店舗のコンピュータ装置などのユーザ端末装置に提供されてもよい。【０２０８】
その場合、図２１に示すように、サプライヤのデータ処理装置９００は、前述のようなタバコ陳列システム１０００の導入の支援に利用されるウェブサイトＷＳを、インターネットＩＮによりユーザ端末装置ＵＴに提供する。【０２０９】
そのデータ処理装置９００は、複数種類のフレームユニット３００等ごとに各々の前面形状を所定の縮尺で模式したユニット画像ＵＰが少なくとも調達コストとともに設定されているユニットデータを記憶するデータ記憶部９１０と、ユーザ端末装置ＵＴにより閲覧されるウェブサイトＷＳの表示画面にユニット画像ＵＰを表示出力させる画像表示部９２０と、表示出力されているユニット画像ＵＰのユーザ端末装置ＵＴによるレイアウト操作を検知する操作検知部９３０と、検知されたレイアウト操作に対応してウェブサイトＷＳに表示出力されるユニット画像ＵＰをレイアウトするユニットレイアウト部９４０と、レイアウトされたユニット画像ＵＰに対応して合計の調達コストを算出する結果算出部９５０と、算出された合計の調達コストをウェブサイトＷＳに表示出力させる結果出力部９６０と、を最低限有すればよい。【０２１０】
この場合、タバコ陳列システム１０００を販売店舗に提供するサプライヤが、そのタバコ陳列システム１０００の構築を検討する機能を、ウェブサイトＷＳにより販売店舗に提供することができる。
【図１】
2008108094.tif 000003
【図２】
2008108094.tif 000004
【図３】
2008108094.tif 000005
【図４】
2008108094.tif 000006
【図５】
2008108094.tif 000007
【図６】
2008108094.tif 000008
【図７】
2008108094.tif 000009
【図８】
2008108094.tif 000010
【図９】
2008108094.tif 000011
【図１０】
2008108094.tif 000012
【図１１】
2008108094.tif 000013
【図１２】
2008108094.tif 000014
【図１３】
2008108094.tif 000015
【図１４】
2008108094.tif 000016
【図１５】
2008108094.tif 000017
【図１６】
2008108094.tif 000018
【図１７】
2008108094.tif 000019
【図１８】
2008108094.tif 000020
【図１９】
2008108094.tif 000021
【図２０】
2008108094.tif 000022
【図２１】
2008108094.tif 000023
【国際調査報告】
2008108094.tif 000024
2008108094.tif 000025
2008108094.tif 000026
2008108094.tif 000027